(57)【要約】【課題】ウィンドウパネルの再利用を図る修理において、ウィンドウパネルを傷付きから保護することができるウィンドウパネルの取付構造及び車両用バックドアを提供する。【解決手段】ウィンドウパネルの取付構造であって、ウィンドウパネル８は、樹脂で形成されており、透明樹脂で透明に形成された透明樹脂部８ａと、透明樹脂部８ａの縁部８ｃにおいて透明樹脂部８ａとインナパネル７との間に配置されるように透明樹脂部８ａと一体化されると共に、有色樹脂で有色に形成された枠形状の有色樹脂部８ｂと、を有する。有色樹脂部８ｂは、透明樹脂部８ａの縁部８ｃに沿って延在すると共に接着材Ｇが配置される接着領域Ａを含む。インナパネル７は、窓開口部７ａを画成すると共に接着材Ｇを介して有色樹脂部８ｂに接着される窓取付部７ｂを有する。有色樹脂部８ｂには、窓取付部７ｂに向かって突出する突起１０が接着領域Ａに沿って設けられている。【選択図】図２
2019025936.tif 000002
【特許請求の範囲】
【請求項１】
車両に搭載されたパネルの開口部を覆うようにウィンドウパネルを取り付けるウィンドウパネルの取付構造であって、
前記ウィンドウパネルは、透明樹脂で透明に形成された透明部と、前記透明部の縁部において前記透明部と前記パネルとの間に配置されるように前記透明部と一体化されると共に、有色材で有色に形成された枠形状の有色部と、を有し、
前記有色部は、前記透明部の前記縁部に沿って延在すると共に接着材が配置される接着領域を含み、
前記パネルは、前記開口部を画成すると共に前記接着材を介して前記有色部に接着される窓取付部を有し、
前記有色部には、前記窓取付部に向かって突出する突起が前記接着領域に沿って設けられている、ウィンドウパネルの取付構造。
【請求項２】
前記突起は、前記接着領域の延在方向に交差する方向において前記接着材を挟むように設けられている、請求項１記載のウィンドウパネルの取付構造。
【請求項３】
前記接着領域は、前記有色部の全周に亘って延在しており、
前記接着材及び前記突起は、前記接着領域の全周に亘って配置されている、請求項１又は２記載のウィンドウパネルの取付構造。
【請求項４】
前記突起は、前記有色部と一体的に形成されている、請求項１〜３の何れか一項記載のウィンドウパネルの取付構造。
【請求項５】
前記突起は、前記接着材に対向する第１側面と、前記接着領域の延在方向に交差する方向において前記第１側面に対向する第２側面と、を有し、
前記第２側面は、前記突起の基端側から先端側に向かうに従って前記接着材側に傾斜する、請求項１〜４の何れか一項記載のウィンドウパネルの取付構造。
【請求項６】
車体の後部に開閉可能に取り付けられた車両用バックドアであって、
開口部を有するインナパネルと、
前記開口部を覆うように前記インナパネルに取り付けられたウィンドウパネルと、を備え、
前記ウィンドウパネルは、透明樹脂で透明に形成された透明部と、前記透明部の縁部において前記透明部と前記インナパネルとの間に配置されるように前記透明部と一体化されると共に、有色材で有色に形成された枠形状の有色部と、を有し、
前記有色部は、前記透明部の前記縁部に沿って延在すると共に接着材が配置される接着領域を含み、
前記インナパネルは、前記開口部を画成すると共に前記接着材を介して前記有色部に接着される窓取付部を有し、
前記有色部には、前記窓取付部に向かって突出する突起が前記接着領域に沿って設けられている、車両用バックドア。
【発明の詳細な説明】
【技術分野】
【０００１】
本発明は、ウィンドウパネルの取付構造及び車両用バックドアに関する。
【背景技術】
【０００２】
従来の車両用バックドアとしては、例えば特許文献１に記載されているような構造が知られている。特許文献１に記載のバックドアは、バックドアガラスを装着する開口部を備え、樹脂製のインナパネルと樹脂製のアウタパネルとを重ね合わせて構成されているバックドアであって、上記インナパネルと上記アウタパネルとを接合する接着材が、上記開口部を形成する上記インナパネルの内周縁部と上記アウタパネルの内周縁部との間に塗布されており、接着面を剥離するための線状部材が、上記インナパネルの内周縁部と上記アウタパネルの内周縁部との間に配設されている。
【先行技術文献】
【特許文献】
【０００３】
【特許文献１】特許４９１５７０６号公報
【発明の概要】
【発明が解決しようとする課題】
【０００４】
上記従来技術においては、バックドアを分解するために線状部材を用いて接着面を剥離する際、線状部材がウィンドウパネルに接触する可能性がある。この場合、例えばウィンドウパネルが樹脂材料で形成されていると、線状部材がウィンドウパネルに接触したときにウィンドウパネルが簡単に傷つけられてしまう。そのため、例えばバックドアにおいてインナパネルとウィンドウパネルとを分離してウィンドウパネルの再利用を図る修理において、ウィンドウパネルの再利用が困難となるおそれがある。
【０００５】
本発明の目的は、ウィンドウパネルの再利用を図る修理において、ウィンドウパネルを傷付きから保護することができるウィンドウパネルの取付構造及び車両用バックドアを提供することである。
【課題を解決するための手段】
【０００６】
本発明の一態様に係るウィンドウパネルの取付構造は、車両に搭載されたパネルの開口部を覆うようにウィンドウパネルを取り付けるウィンドウパネルの取付構造であって、ウィンドウパネルは、透明樹脂で透明に形成された透明部と、透明部の縁部において透明部とパネルとの間に配置されるように透明部と一体化されると共に、有色材で有色に形成された枠形状の有色部と、を有し、有色部は、透明部の縁部に沿って延在すると共に接着材が配置される接着領域を含み、パネルは、開口部を画成すると共に接着材を介して有色部に接着される窓取付部を有し、有色部には、窓取付部に向かって突出する突起が接着領域に沿って設けられている。
【０００７】
このようなウィンドウパネルの取付構造においては、ウィンドウパネルの有色部とパネルの窓取付部とが、接着材を介して接着されている。この接着材を、例えば有色部と窓取付部との間に挿入された線状部材によって切断することにより、ウィンドウパネルとパネルとを分離できる。このウィンドウパネルの取付構造においては、ウィンドウパネルの有色部に、窓取付部に向かって突出する突起が接着領域に沿って設けられている。そのため、ウィンドウパネルとパネルとを分離する際に、挿入された線状部材がウィンドウパネルに接触することが、突起によって抑制される。その結果、ウィンドウパネルの再利用を図る修理において、ウィンドウパネルを傷付きから保護することができる。
【０００８】
突起は、接着領域の延在方向に交差する方向において接着材を挟むように設けられていてもよい。この場合、接着領域の延在方向に交差する方向において、接着材の両側に複数の突起が設けられることになる。よって、複数の突起によって、挿入された線状部材がウィンドウパネルに接触することがより好適に抑制されるため、ウィンドウパネルをより確実に傷付きから保護することができる。
【０００９】
接着領域は、有色部の全周に亘って延在しており、接着材及び突起は、接着領域の全周に亘って配置されていてもよい。この場合、接着材及び突起が有色部の全周に亘って配置されるため、防水性が確保されると共に、ウィンドウパネルを全周に亘って傷付きから保護することができる。
【００１０】
突起は、有色部と一体的に形成されていてもよい。この場合、別部品で突起を形成する場合と比べて、コストを抑制することができる。
【００１１】
突起は、接着材に対向する第１側面と、接着領域の延在方向に交差する方向において第１側面に対向する第２側面と、を有し、第２側面は、突起の基端側から先端側に向かうに従って接着材側に傾斜していてもよい。この場合、突起の基端側から先端側に向かうに従って接着材側に傾斜している第２側面によって、挿入された線状部材が突起の先端側に案内される。よって、ウィンドウパネルへの接触を抑制しつつ、線状部材を容易に挿入することができる。
【００１２】
本発明の一態様に係る車両用バックドアは、車体の後部に開閉可能に取り付けられた車両用バックドアであって、開口部を有するインナパネルと、開口部を覆うようにインナパネルに取り付けられたウィンドウパネルと、を備え、ウィンドウパネルは、透明樹脂で透明に形成された透明部と、透明部の縁部において透明部とインナパネルとの間に配置されるように透明部と一体化されると共に、有色材で有色に形成された枠形状の有色部と、を有し、有色部は、透明部の縁部に沿って延在すると共に接着材が配置される接着領域を含み、インナパネルは、開口部を画成すると共に接着材を介して有色部に接着される窓取付部を有し、有色部には、窓取付部に向かって突出する突起が接着領域に沿って設けられている。
【００１３】
このような車両用バックドアにおいては、ウィンドウパネルの有色部とインナパネルの窓取付部とが、接着材を介して接着されている。この接着材を、例えば有色部と窓取付部との間に挿入された線状部材によって切断することにより、ウィンドウパネルとインナパネルとを分離できる。この車両用バックドアにおいては、ウィンドウパネルの有色部に、窓取付部に向かって突出する突起が接着領域に沿って設けられている。そのため、ウィンドウパネルとインナパネルとを分離する際に、挿入された線状部材がウィンドウパネルに接触することが、突起によって抑制される。その結果、ウィンドウパネルの再利用を図る修理において、ウィンドウパネルを傷付きから保護することができる。
【発明の効果】
【００１４】
本発明によれば、ウィンドウパネルの再利用を図る修理において、ウィンドウパネルを傷付きから保護することができるウィンドウパネルの取付構造及び車両用バックドアを提供することができる。
【図面の簡単な説明】
【００１５】
【図１】本発明の一実施形態に係る車両用バックドアを備えた車両を示す斜視図である。
【図２】図１に示されたバックドアの上側部分の車幅方向中央部（図１におけるＭ部分）を示す断面図である。
【図３】図２に示されたウィンドウパネルの取付構造の拡大図である。
【発明を実施するための形態】
【００１６】
以下、本発明の実施形態について、図面を参照して詳細に説明する。
【００１７】
図１は、本発明の一実施形態に係る車両用バックドアを備えた車両を示す斜視図である。図１において、車両１は、車体２を備えている。車体２の上部には、ルーフパネル３が設けられている。車体２の両側部には、サイドパネル４が設けられている。車体２の下部には、バンパー５が設けられている。なお、図中の矢印ＦＲは、車両１の前後方向における前側を示しており、図中の矢印ＵＰは、車両１の上下方向における上側を示しており、図中の矢印ＯＵＴは、車両１の車幅方向における外側を示している。
【００１８】
車体２の後部には、本実施形態の車両用バックドア６（以下、単にバックドア６）が開閉可能に取り付けられている。バックドア６は、ルーフパネル３の後端部にヒンジ（図示せず）を介して上下方向に回動可能に支持されている。なお、以下の説明において、バックドア６に関する上下方向及び前後方向は、バックドア６を車体２に対して閉めた状態（図１参照）における方向のことである。
【００１９】
バックドア６は、窓開口部（開口部）７ａを有するインナパネル７（図２参照）と、このインナパネル７の窓開口部７ａを覆うようにインナパネル７に取り付けられたウィンドウパネル８と、このウィンドウパネル８の下方においてインナパネル７の後側（車室外側）に配置されるようにインナパネル７に取り付けられたアウタパネル９と、ウィンドウパネル８の上部に取り付けられたスポイラーＳとを備えている。インナパネル７は、車両１に搭載されウィンドウパネル８よりも内側に配置されたパネルである。
【００２０】
ウィンドウパネル８は、樹脂（例えばポリカーボネート）で形成されている。ウィンドウパネル８を樹脂で形成することにより、ウィンドウパネル８を自由な形状にすることができる。インナパネル７、アウタパネル９、及びスポイラーＳは、樹脂（例えばポリプロピレン）で形成されている。インナパネル７及びアウタパネル９は、金属で形成されていてもよい。
【００２１】
ウィンドウパネル８は、透明樹脂で透明に形成された透明樹脂部（透明部）８ａと、有色樹脂（有色材）で有色に形成された有色樹脂部（有色部）８ｂと、を有している。なお、有色樹脂部８ｂを形成する有色樹脂としては、例えば黒の樹脂材が用いられる。有色樹脂部８ｂは、透明樹脂部８ａの縁部８ｃにおいて透明樹脂部８ａとインナパネル７との間に配置されるように透明樹脂部８ａと一体化されている。つまり、有色樹脂部８ｂは、枠形状を呈している。なお、ウィンドウパネル８は、透明樹脂部８ａの一部がインナパネル７の窓開口部７ａと一致するように配置され、インナパネル７に取り付けられている。有色樹脂部８ｂは、インナパネル７の開口部の周囲に配置されている。
【００２２】
このバックドア６では、以下説明するようなウィンドウパネルの取付構造にてウィンドウパネル８がインナパネル７に取り付けられている。図２は、図１に示されたバックドア６の上側部分の車幅方向中央部（図１におけるＭ部分）を示す断面図である。図３は、図２に示されたウィンドウパネルの取付構造の拡大図である。
【００２３】
図２及び図３に示されるように、インナパネル７は、窓取付部７ｂを有する。窓取付部７ｂは、インナパネル７における窓開口部７ａを取り囲む部分である。すなわち、窓取付部７ｂは、窓開口部７ａを画成している。窓取付部７ｂは、インナパネル７の窓開口部７ａを覆うようにウィンドウパネル８をインナパネル７に取り付ける場合に、ウィンドウパネル８の外周部（特に有色樹脂部８ｂ）が配置される部分である。窓取付部７ｂは、接着材Ｇを介して有色樹脂部８ｂに接着されている。接着材Ｇとしては、例えば水密性を有するウレタン系接着剤が用いられる。
【００２４】
有色樹脂部８ｂは、透明樹脂部８ａの縁部８ｃに沿って延在すると共に接着材Ｇが配置される接着領域Ａを含んでいる。接着領域Ａは、有色樹脂部８ｂに沿って、有色樹脂部８ｂの全周に亘って延在している（図１参照）。接着材Ｇは、接着領域Ａの全周に亘って配置されている。
【００２５】
接着領域Ａは、例えば、接着領域Ａの延在方向と交差する方向に所定幅を有する帯状の仮想的な領域である。所定幅は、特に限定されるものではなく、例えば配置された接着材Ｇの幅であってもよいし、ウィンドウパネル８をインナパネル７に取り付けた際に接着材Ｇが圧縮されて押し広げられたときの接着材Ｇの幅であってもよい。
【００２６】
有色樹脂部８ｂには、窓取付部７ｂに向かって突出する突起１０が設けられている。突起１０は、ウィンドウパネル８をインナパネル７に取り付けた際に、突起１０の頂部１１と窓取付部７ｂとが接触しない程度の突出高さで有色樹脂部８ｂから突出している。突起１０は、例えば有色樹脂部８ｂと一体的に形成されている。
【００２７】
突起１０は、接着領域Ａに沿って設けられている。突起１０は、接着領域Ａに沿って連続して延びるように設けられていてもよいし、接着領域Ａに沿って断続的に（互いに離間するように）設けられていてもよい。突起１０は、好ましくは、接着領域Ａの全周に亘って配置されている。
【００２８】
突起１０は、接着領域Ａの延在方向に交差する方向において接着材Ｇを挟むように設けられている。つまり、突起１０は、接着材Ｇの幅方向両側に設けられている。これにより、接着材Ｇが圧縮された際のはみ出しが抑制される。
【００２９】
突起１０の断面形状は、特に限定されないが、一例として略三角形である。突起１０は、接着材Ｇに対向する第１側面１２と、接着領域Ａの延在方向に交差する方向において第１側面１２に対向する第２側面１３と、を有している。第２側面１３は、突起１０の基端１４側から頂部１１側（先端側）に向かうに従って接着材Ｇ側に傾斜している。つまり、接着領域Ａの延在方向に交差する方向において、突起１０の頂部１１側における幅は、突起１０の基端１４側における幅よりも小さくなっている。
【００３０】
突起１０は、ウィンドウパネル８の再利用を図る修理において、インナパネル７とウィンドウパネル８との間に挿入された線状部材がウィンドウパネル８に接触することを抑制する機能を有する。
【００３１】
ウィンドウパネル８の再利用を図る修理とは、例えば、インナパネル７が損傷しておりウィンドウパネル８が損傷していない場合（つまりウィンドウパネル８の再利用が可能であると見込まれる場合）、インナパネル７とウィンドウパネル８とを分離してインナパネル７のみを新品に交換し、ウィンドウパネルのみを再利用する修理を意味する。この修理においては、インナパネル７とウィンドウパネル８とを分離するために、インナパネル７とウィンドウパネル８との間に線状部材（例えばピアノ線）が挿入される。挿入された線状部材は、突起１０の頂部１１とインナパネル７の窓取付部７ｂとが接触していないため、窓取付部７ｂと頂部１１との間を、図３の二点鎖線Ｗで示されるように通される。このようにして、有色樹脂部８ｂと窓取付部７ｂとを接着している接着材Ｇを切断する方法が取られるのが一般的である。このような方法では、ウィンドウパネル８が樹脂材料で形成されていると、線状部材がウィンドウパネル８に接触したときにウィンドウパネル８が簡単に傷つけられてしまう。
【００３２】
そこで、本実施形態に係るバックドア６及びウィンドウパネルの取付構造によれば、有色樹脂部８ｂに、窓取付部７ｂに向かって突出する突起１０が接着領域Ａに沿って設けられている。そのため、インナパネル７とウィンドウパネル８とを分離する際に、挿入された線状部材がウィンドウパネル８に接触することが、突起１０によって抑制される。その結果、例えばウィンドウパネル８の再利用を図る修理において、ウィンドウパネル８を傷付きから保護することができる。
【００３３】
また、本実施形態では、突起１０は、接着領域Ａの延在方向に交差する方向において接着材Ｇを挟むように設けられている。これにより、接着領域Ａの延在方向に交差する方向において、接着材Ｇの両側に複数の突起１０が設けられることになる。よって、複数の突起１０によって、挿入された線状部材がウィンドウパネル８に接触することがより好適に抑制されるため、ウィンドウパネル８をより確実に傷付きから保護することができる。
【００３４】
また、本実施形態では、接着領域Ａは、有色樹脂部８ｂの全周に亘って延在している。接着材Ｇ及び突起１０は、接着領域Ａの全周に亘って配置されている。これにより、接着材Ｇ及び突起１０が有色樹脂部８ｂの全周に亘って配置されるため、防水性が確保されると共に、ウィンドウパネル８を全周に亘って傷付きから保護することができる。
【００３５】
また、本実施形態では、突起１０は、有色樹脂部８ｂと一体的に形成されている。これにより、別部品で突起１０を形成する場合と比べて、コストを抑制することができる。
【００３６】
また、本実施形態では、突起１０は、接着材Ｇに対向する第１側面１２と、接着領域Ａの延在方向に交差する方向において第１側面１２に対向する第２側面１３と、を有している。第２側面１３は、突起１０の基端１４側から頂部１１側に向かうに従って接着材Ｇ側に傾斜している。これにより、突起１０の基端１４側から頂部１１側に向かうに従って接着材Ｇ側に傾斜している第２側面１３によって、挿入された線状部材が頂部１１側に案内される。よって、ウィンドウパネル８への接触を抑制しつつ、線状部材を容易に挿入することができる。
【００３７】
なお、本発明は、上記実施形態には限定されない。例えば上記実施形態では、有色樹脂部８ｂは、有色材として有色樹脂で形成されていたが、例えば透明樹脂上に有色材として有色のシート及び有色の塗料等からなる有色部が構成されていてもよい。
【００３８】
また、上記実施形態では、インナパネル７にウィンドウパネル８が直接的に取り付けられていたが、ウィンドウパネル８はアウタパネル９に取り付けられていてもよいし、インナパネル７とウィンドウパネル８との間の一部にアウタパネル９が介在されて間接的に取り付けられていてもよい。
【００３９】
突起１０は、接着領域Ａの延在方向に交差する方向において接着材Ｇを挟むように設けられていたが、接着領域Ａの延在方向に交差する方向における接着材Ｇの片側に設けられていてもよい。
【００４０】
突起１０は、接着領域Ａの全周に亘って配置されていたが、接着領域Ａの一部分（例えばウィンドウパネル８に線状部材が接触し易い部分）に配置されていてもよい。
【００４１】
突起１０は、有色樹脂部８ｂと一体的に形成されていたが、突起１０は、有色樹脂部８ｂとは別体であってもよい。この場合、突起１０は、例えば樹脂材及び金属材等で形成された部材が有色樹脂部８ｂに接着及び溶着等により接合されることで構成されていてもよい。
【００４２】
突起１０の断面形状として、略三角形を例示したが、これに限定されない。突起１０の断面形状は、例えば矩形、略台形、又は多角形であってもよい。第１側面１２は、平面に限定されず、湾曲面であってもよい。第２側面１３は、平面に限定されず、湾曲面であってもよい。例えば、突起１０の断面形状は、半円形又は扇形であってもよい。
【００４３】
また、上記実施形態では、ウィンドウパネルの取付構造の一例として車両用バックドア６におけるウィンドウパネル８をインナパネル７に取り付ける構造を例示したが、これに限定されず、車両１に搭載されウィンドウパネル８よりも内側に配置されたパネルにウィンドウパネル８を取り付ける構造であればよい。例えば、ルーフパネル３の開口部を覆うようにウィンドウパネルをルーフパネル３に取り付ける構造であってもよいし、サイドパネル４の開口部を覆うようにウィンドウパネルをサイドパネル４に取り付ける構造であってもよい。更には、ルーフパネル３の前端部、一対のフロントピラー（不図示）及びカウルパネル（不図示）によって画成される開口部を覆うようにフロントガラスパネル（ウインドシールド）をルーフパネル３の前端部、一対のフロントピラー及びカウルパネルに取り付ける構造であってもよい。
【符号の説明】
【００４４】
１…車両、２…車体、６…バックドア（車両用バックドア）、７…インナパネル（パネル）、７ａ…窓開口部（開口部）、７ｂ…窓取付部、８…ウィンドウパネル、８ａ…透明樹脂部（透明部）、８ｂ…有色樹脂部（有色部）、８ｃ…縁部、１０…突起、１１…頂部、１２…第１側面、１３…第２側面、１４…基端、Ａ…接着領域、Ｇ…接着材、Ｗ…二点鎖線。
【図１】
2019025936.tif 000003
【図２】
2019025936.tif 000004
【図３】
2019025936.tif 000005